(57)【要約】【課題】記録再生装置における、使用者の使用勝手の向上。【解決手段】コンテンツデータを記録媒体に記録する記録処理を行う記録モードと、記録媒体に記録されているコンテンツデータを再生する再生処理を行う再生モードと、回動した回動位置に応じて記録媒体の複数のフォルダの中から所定のフォルダを選択可能とする回動式スイッチを備える記録再生装置であって、記録モード時と再生モード時の回動式スイッチの回動位置が同じであれば、記録モード時の記録処理における記録先フォルダと、再生モード時の再生処理における再生先フォルダとが同じとなるため、使用者によるフォルダ選択の操作がより簡単となる。【選択図】図２
2012027384.tif 000002
【特許請求の範囲】
【請求項１】
コンテンツデータを記録媒体に記録する記録処理を行う記録モードと、前記記録媒体に記録されているコンテンツデータを再生する再生処理を行う再生モードと、回動した回動位置に応じて前記記録媒体の複数のフォルダの中から所定のフォルダを選択可能とする回動式スイッチを備える記録再生装置であって、
前記記録モード時に、前記記録媒体の複数のフォルダのうち前記回動式スイッチの回動位置に応じた第１フォルダを、前記記録媒体に記録されるコンテンツデータの割当先として設定する記録設定手段と、
前記記録媒体の複数のフォルダのうち前記回動式スイッチの回動位置に応じた第２フォルダに割り当てられているコンテンツデータを再生先として設定する再生設定手段と、を備え
前記記録モード時の前記回動式スイッチの回動位置と、前記再生モード時の前記回動式スイッチの回動位置が同じであることを条件に、前記第１フォルダおよび前記第２フォルダは前記記録媒体の複数のフォルダのうち同じフォルダとなることを特徴とする、記録再生装置。
【請求項２】
前記複数のフォルダの夫々には、前記記録処理および前記再生処理の夫々の処理の際に適用される機能が関連付けられており、該記録処理または該再生処理の際に、前記回動式スイッチにより選択されたフォルダに関連付けられている機能を適用して記録処理または再生処理がなされることを特徴とする、請求項１の記録再生装置。
【請求項３】
前記回動式スイッチが操作されることによって電源オフの選択も可能であり、該電源オフが選択されると、本体機器の一部が非起動状態に移行することを特徴とする、請求項１または２の記録再生装置。
【請求項４】
前記複数のフォルダに夫々関連付けられている機能は、ユーザによって変更可能であることを特徴とする、請求項１乃至３のいずれかの記録再生装置。
【発明の詳細な説明】
【技術分野】
【０００１】
本発明は、コンテンツデータを記録媒体の複数のフォルダから特定のフォルダに割り当てて記録処理を行い、該特定のフォルダに割り当てられたコンテンツデータを再生する再生処理を行う記録再生装置に関する。
【背景技術】
【０００２】
従来の記録再生装置において、記録媒体にデータファイルを記録する場合、記録媒体の複数のフォルダから特定のフォルダを選択し、選択されたフォルダにデータファイルが割り当てられ、記録されるものが賞用されている。
【特許文献１】特開２００２−７３０８７号公報  特許文献１には、複数のフォルダを有する記録媒体にデータファイルを格納する際に、フォルダボタンを押して格納されるべきフォルダを選択し、かつフォルダ毎に各種動作モードおよび／または時刻情報を設定する設定手段を具備する音声記録再生装置が開示されている。
【０００３】
さて、従来の技術の音声記録再生装置では、少なくとも以下の問題点があった。
（１）データファイルを記録すべき記録媒体のフォルダＡ、フォルダＢおよびフォルダＣの切替において、フォルダボタンを１回押すことによって、フォルダＡからフォルダＢへ切り替わり、さらにフォルダボタンを１回押すことによって、フォルダＢからフォルダＣへ切り替わるといった、煩雑な操作が必要である。
（２）再生時、再生したいデータファイルがどのフォルダに割り当てられているかが直ぐに分からないため、探すのに煩雑な操作が必要である。
（３）録音機能設定と再生機能設定が個別で設定しなければならず、設定には煩雑な操作が必要である。
【０００４】
このように、従来技術の音声記録再生装置では、データファイルを記録および再生する際に、フォルダ選択や設定において煩雑な操作が必要であった。
【発明の開示】
【発明が解決しようとする課題】
【０００５】
本発明は、上記の問題点を解決するもので、コンテンツが記録される際に割り当てられるフォルダの選択、および再生先となるフォルダの選択を、使用者にとってより簡単な操作で行うことができる記録再生装置を提供するものである。
【課題を解決するための手段】
【０００６】
上述の目的を達成するためのこの発明のある局面によれば、コンテンツデータを記録媒体に記録する記録処理を行う記録モードと、記録媒体に記録されているコンテンツデータを再生する再生処理を行う再生モードと、回動した回動位置に応じて記録媒体の複数のフォルダの中から所定のフォルダを選択可能とする回動式スイッチを備える記録再生装置であって、記録モード時に、記録媒体の複数のフォルダのうち回動式スイッチの回動位置に応じた第１フォルダを、記録媒体に記録されるコンテンツデータの割当先として設定する記録設定手段と、記録媒体の複数のフォルダのうち回動式スイッチの回動位置に応じた第２フォルダに割り当てられているコンテンツデータを再生先として設定する再生設定手段と、を備え、記録モード時の回動式スイッチの回動位置と、再生モード時の回動式スイッチの回動位置が同じであることを条件に、第１フォルダおよび第２フォルダは記録媒体の複数のフォルダのうち同じフォルダとなることを特徴とする。
【０００７】
この局面に従えば、記録モード時と再生モード時の回動式スイッチの回動位置が同じであれば、記録モード時の記録処理におけるコンテンツが割り当てられるフォルダと、再生先のコンテンツが割り当てられているフォルダが同じフォルダとなるため、使用者にとって記録モード時および再生モード時のフォルダ選択の操作がより簡単となる。
【０００８】
好ましくは、複数のフォルダの夫々には、記録処理および再生処理の夫々の処理の際に適用される機能が関連付けられており、該記録処理または該再生処理の際に、回動式スイッチにより選択されたフォルダに関連付けられている機能を適用して記録処理または再生処理がなされる。
【０００９】
この局面に従えば、使用者は回動式スイッチを操作してフォルダを選択するだけで、記録処理および再生処理の夫々の処理に関連付けられている機能が適用されるため、細かな設定を行うことなくコンテンツの記録または再生を行うことができる。
【００１０】
好ましくは、回動式スイッチが操作されることによって電源オフの選択も可能であり、該電源オフが選択されると、本体機器の一部が非起動状態に移行する。
【００１１】
この局面に従えば、使用者は回動式スイッチを操作するだけで、電源オフ動作も可能となり、別途電源オフスイッチを設ける必要がない。
【００１２】
好ましくは、複数のフォルダに夫々関連付けられている機能は、ユーザによって変更可能である。
【００１３】
この局面に従えば、記録処理および再生処理の夫々の処理に関連付けられている機能について使用者によって変更可能であるため、使用者の好みに応じた記録および再生を行うことができる。
【発明の効果】
【００１４】
本発明の記録再生装置によれば、コンテンツが記録される際に割り当てられるフォルダの選択、および再生先となるフォルダの選択を、使用者にとってより簡単な操作で行うことができる。
【図面の簡単な説明】
【００１５】
【図１】本実施例に係るＩＣレコーダ１０を示す外観図である。
【図２】本実施例に係るＩＣレコーダ１０の回路構成の一部を示すブロック図である。
【図３】本実施例に係る外部メモリカード５４のフォルダ構成を示す図解図である。
【図４】本実施例に係るＩＣレコーダ１０の録音モードにおけるフォルダと録音機能に関する録音機能テーブルを示す図解図である。
【図５】本実施例に係るＩＣレコーダ１０の録音モードにおける操作態様の一例を示す図解図である。
【図６】本実施例に係るＩＣレコーダ１０の再生モードにおけるフォルダと再生機能に関する再生機能テーブルを示す図解図である。
【図７】本実施例に係るＩＣレコーダ１０の再生モードにおける操作態様の一例を示す図解図である。
【図８】本実施例に係るＩＣレコーダ１０の動作の一部を示すフローチャートである。
【図９】本実施例に係るＩＣレコーダ１０の動作の他の一部を示すフローチャートである。
【図１０】本実施例に係るＩＣレコーダ１０の動作のさらに他の一部を示すフローチャートである。
【図１１】本実施例に係るＩＣレコーダ１０の動作のさらに他の一部を示すフローチャートである。
【発明を実施するための最良の形態】
【００１６】
以下、本発明の記録再生装置の一実施例として、ＩＣレコーダに実施した形態につき、図面に沿って具体的に説明する。
【００１７】
図１は、本実施例のＩＣレコーダ１０の外観図である。図１（Ａ）は筐体の表面を示しており、液晶表示装置（ＬＣＤ部）１６、停止ボタン２０、再生一時停止機能、設定機能、メニュー呼び出し機能、シフト機能、ボリューム調整機能を含むカーソルキー２２、モードダイヤル２４を備える。２６に示す印は、モードダイヤル２４によって現在設定されているフォルダを示すための位置印であり、筐体にプリントされている。モードダイヤル２４にプリントされた“ＡＵＴＯ”、“ＯＦＦ”、“ＭＡＮＵＡＬ”、“ＭＵＳＩＣ”、”ＰＩＡＮＯ“および”ＶＯＣＡＬ“の文字列のいずれかを位置印２６に対してほぼ平行線上に配置するように、モードダイヤル２４を操作することにより、後述する各種設定が為される。
【００１８】
ここで、使用者によるモードダイヤル２４の文字列の配置操作は、つまりは選択操作を意味しており、以後、配置操作を選択操作とみなして説明する。例えば、”ＡＵＴＯ”の文字列が位置印２６に対してほぼ平行線上に配置された場合には、オートモードが選択されたことになる。また、“ＯＦＦ”の文字列が位置印２６にほぼ平行線上に配置された場合には、電源オフが選択されたことになる。同様に“ＭＡＮＵＡＬ”の場合にはマニュアルモードが選択され、“ＭＵＳＩＣ”の場合にはミュージックモードが選択され、“ＰＩＡＮＯ”の場合にはピアノモードが選択され、“ＶＯＣＡＬ”の場合にはボーカルモードが選択される。
【００１９】
図１（Ｂ）は筐体の右側面を示しており、筐体の上部にはマイクロフォン２８ａ（Ｒｉｇｈｔ）が配設される。なお、図示しないが筐体の左側面の上部にはマイクロフォン２８ｂ（Ｌｅｆｔ）が配置され、２つのマイクロフォンを使用することにより、ステレオ録音が可能である。３０はライン端子であり、３２は再生ボタンであり、３４は録音ボタンである。３８は、マイクロフォン２８ａ、２８ｂから音声を入力するか、ライン端子３０から音声を入力するかを切り替えるための入力切替スイッチである。
【００２０】
図１（Ｃ）は筐体の背面を示しており、スピーカ３６が配設されている。
【００２１】
本実施例のＩＣレコーダ１０は、録音機能および再生機能を有しており、モードダイヤル２４が操作されることにより、選択されたモードに移行する。具体的には、電源オフが選択された場合には電源オフ状態となり、電源オフ以外のモードが選択された場合には、各モードに移行する。電源オフ状態において、モードダイヤル２４が操作されることにより“ＯＦＦ”以外の文字列が位置印２６に対してほぼ平行線上に配置された場合には、自動的に電源オン状態に移行し、かつ文字列に対応するモードに移行する。
【００２２】
図２は、ＩＣレコーダ１０のブロック図を示している。
【００２３】
ＩＣレコーダ１０は、マイクロフォン２８（２８ａおよび２８ｂ）を含み、録音開始操作が為されることによってマイクロフォン２８から集音されたアナログ音声信号が、マイクロフォン２８に接続されるコーデック４０へ入力される。もしくは、ライン端子３０から入力されたアナログ音声信号が、コーデック４０へ入力される。コーデック４０は、入力されたアナログ音声信号をデジタル信号に変換し、所定のデジタル処理を施す。
【００２４】
ＩＣレコーダ１０の全体を制御するＣＰＵ４２はバス４４と接続されており、コーデック４０でデジタル処理が施されたデジタル音声データをＳＤＲＡＭ４６へ一旦格納させる。バス４４には、コーデック４０、ＣＰＵ４２、ＳＤＲＡＭ４６、フラッシュメモリ４８、ＬＣＤ部１６、ＤＳＰ（Digital Signal Processor)５０および外部メモリコントローラ５２が接続されており、フラッシュメモリ４８には、ＣＰＵ４２が実行するプログラム、および該プログラムを実行するためのパラメータ等が記憶されている。
【００２５】
また、停止ボタン２０、カーソルキー２２、再生ボタン３２、録音ボタン３４および入力切替スイッチは、ＣＰＵ４２と接続されており、これらのボタンが操作されると、ＣＰＵ４２が操作内容を把握し、操作内容に応じたプログラムを、プログラムを実行するためのパラメータを用いて実行する。なお、モードダイヤル２４は、モードスイッチ６２を介してＣＰＵ４２と接続されており、モードダイヤル２４が操作されるとモードスイッチ６２を介してＣＰＵ４２はモード内容を把握し、モード内容に応じたプログラムを、プログラムが実行するためのパラメータを用いて実行する。ここで、モードダイヤル２４において電源オフが選択されると、ＣＰＵ４２は電源制御部６０を制御して、機器本体の電源をオフする。
【００２６】
さて、記録時のファイル形式としてＭＰ３方式が採用される場合には、ＳＤＲＡＭ４６に一旦格納されたデジタル音声データは、ＤＳＰ５０へ出力され、ＤＳＰ５０は、入力されたデジタル音声データに対してＭＰ３形式で圧縮処理を施し、ＳＤＲＡＭ４６へＭＰ３音声ファイルとして一旦格納する。そして、ＣＰＵ４２は外部メモリコントローラ５２を制御して、ＳＤＲＡＭ４６に格納されているＭＰ３音声ファイルを外部メモリカード５４へ記録する。
【００２７】
また、ファイル形式としてＰＣＭ方式が採用される場合には、ＳＤＲＡＭ４６に一旦格納されたデジタル音声データをＰＣＭ形式の音声ファイルにして、ＣＰＵ４２は外部メモリコントローラ５２を制御して、ＳＤＲＡＭ４６に格納されているＰＣＭ音声ファイルを外部メモリカード５４へ記録する。本実施例においては、各音声ファイルを外部メモリカード５４へ記録しているが、ＩＣレコーダ１０内に図示しない不揮発性の内蔵メモリを設けて、記録するようにしてもよい。上述した集音から記録までの処理を録音処理と定義し、これらの処理が行われるモードを録音モードと定義する。また、後述する再生処理が行われるモードを再生モードと定義する。
【００２８】
再生ボタン３２が操作される、または再生モード時にカーソルキー２２が操作されることにより、音声再生処理が開始し実行される。具体的には、ＭＰ３音声ファイルが再生対象の場合には、外部メモリカード５４からＳＤＲＡＭ４６へ一旦格納され、ＤＳＰ５０において伸張処理が施される。伸張処理が施されたデジタル伸張音声信号は、再びＳＤＲＡＭ４６へ格納され、コーデック４０へ出力される。再生対象の音声ファイルがＰＣＭ形式の音声ファイルである場合には、外部メモリカード５４からコーデック４０へ出力される。
【００２９】
コーデック４０では、デジタル伸張音声信号がアナログ伸張音声信号に変換され、アンプ５６へ出力されることによって増幅処理が施される。そして、スピーカ３６へ出力される。なお、本実施例においては、外部メモリカード５４に記録されている各音声ファイルを再生しているが、ＩＣレコーダ１０内に図示しない不揮発性の内蔵メモリを設けて、該メモリに記録されている各音声ファイルを再生するようにしてもよい。
【００３０】
図３は、外部メモリカード５４のフォルダ構成を示しており、ＡＵＴＯフォルダ、ＭＡＮＵＡＬフォルダ、ＭＵＳＩＣフォルダ、ＰＩＡＮＯフォルダおよびＶＯＣＡＬフォルダで構成されている。各フォルダには、複数の音声ファイルが格納されている。
【００３１】
次に、録音モードおよび再生モード時のＩＣレコーダ１０の動作について、詳細に説明する。
【００３２】
さて、本実施例のＩＣレコーダ２４には、上述したようにモードダイヤル２４が配設されており、録音モード時において、モードダイヤル２４を操作することにより、オートモード、電源オフ、マニュアルモード、ミュージックモード、ピアノモードおよびボーカルモードの何れかを選択することにより、各種設定が為される。具体的には、オートモードが選択されると、音声ファイルが記録されるべきフォルダとして、ＡＵＴＯフォルダが割り当てられる。同様にマニュアルモードが選択されると、ＭＡＮＵＡＬフォルダが割り当てられ、ミュージックモードが選択されると、ＭＵＳＩＣフォルダが割り当てられ、ピアノモードが選択されると、ＰＩＡＮＯフォルダが割り当てられ、ボーカルモードが選択されると、ＶＯＣＡＬフォルダが割り当てられる。なお、ＭＡＮＵＡＬフォルダおよびＭＵＳＩＣフォルダ内には、更に複数のフォルダ、例えば使用者がカーソルキー２２を操作することによって選択可能とするフォルダが存在する。
【００３３】
ここで、選択されたモードに応じて音声ファイルが記録されるべきフォルダが割り当てられると共に、音声ファイルの記録方式、つまり記録処理を行う際の機能も設定される。
【００３４】
なお、各モードを示すモードダイヤル２４にプリントされている文字列は、夫々使用者にとって理解しやすいものが採用されている。
【００３５】
オートモードを示す“ＡＵＴＯ”は、使用者が録音時に細やかな設定や使用法などを考慮する必要がないことを意味しており、マニュアルモードを示す“ＭＡＮＵＡＬ”は、使用者が録音時に細やかな設定や使用法を設定できることを意味している。ミュージックモードを示す“ＭＵＳＩＣ”は音楽を録音する際に適したものであることを示しており、ピアノモードを示す“ＰＩＡＮＯ”は、ピアノからの発生する音を主として録音する際に適したものであることを示している。ボーカルモードは“ＶＯＣＡＬ”は、人間の音声を主として録音する際に適したものであることを示している。
【００３６】
図４（Ａ）は、割り当てられるフォルダと録音機能設定項目の関係を示したテーブルである。該テーブルはフラッシュメモリ４８に格納され、ＣＰＵ４２は該テーブルを参照し、夫々設定する。
【００３７】
図４に示すように、マイクロフォン２８またはライン端子３０を介して入力されるアナログ音声信号は、ＣＰＵ４２がテーブルを参照してマイクロフォン２８、コーデック４０やＤＳＰ５０を制御し、夫々録音機能設定項目に沿った処理を施すことによって、各フォルダに記録される。
【００３８】
録音機能設定項目としては、音声を圧縮する際の“圧縮比率”、マイクロフォン２８の“マイク感度”、空調音やプロジェクターのファンノイズ、屋外録音時での風切音などに該当する低周波数をカットするための“フィルタ”のレベル、および録音中の突然の過大入力を抑制する“録音リミッター”が設けられている。
【００３９】
具体的な操作例を挙げると、モードダイヤル２４が操作されることによってオートモードが選択され、ある音声をＡＵＴＯフォルダに記録する場合、ＣＰＵ４２はテーブルを参照してマイクロフォン２８を制御してマイク感度を中感度にし、コーデック４０を制御して３００ｋＨｚ以下の音をカット処理を行う。
【００４０】
なお、テーブルの録音機能設定項目は変更可能であり、図４（Ａ）に示すテーブルは、使用者が始めて使う場合や、リセットが為されたときに設定されているものである。図４（Ｂ）は、テーブルの録音機能設定項目が変更された後のもの示している。なお、音声をＡＵＴＯフォルダに記録する場合の設定項目は変更可能である。しかし、電源がオフされると録音機能設定項目はリセットされる。他のモードは、電源がオフされても録音機能設定項目は保持される。
【００４１】
図５は、録音機能設定項目が変更される際の遷移を示す図である。
【００４２】
モードダイヤル２４が操作されることによってオートモードが選択されると（図５（Ａ））、ＬＣＤ部１６にＡＵＴＯフォルダに格納されているファイルの総数が表示される（図５（Ｂ））。図５（Ｂ）に示されるファイルの総数が表示された状態で、録音ボタン３４が操作されると、ＣＰＵ２４はフラッシュメモリ４８に格納されているテーブルを参照して、各部を制御して録音処理を実行し始めると共に、ＬＣＤ部１６に録音中であることおよびマイクロフォン２８ａおよび２８ｂから入力される音声のレベル、つまり録音レベルを表示する（図５（Ｃ））。
【００４３】
図５（Ｂ）に示すようにファイルの総数が表示された状態で、カーソルキー２２に対してメニュー呼び出し機能に相当する操作がなされると、各種録音設定画面に移行し、４つの設定項目である“圧縮比率”、“マイク感度”、“フィルター”および“録音リミッター”の機能の中から一つの項目が選択できるように表示される（図５（Ｄ））。
【００４４】
図５（Ｄ）に示すようにＬＣＤ部１６に４つの設定項目が表示された状態で、カーソルキー２２に対していずれかの項目を選択するようにシフト機能および設定機能に相当する操作がなされると、各項目の設定画面に移行する。“圧縮比率”が選択されると、４つの圧縮比率設定項目である“９６ｋ／２４ｂｉｔ”、“４４ｋ／２４ｂｉｔ”、“ＭＰ３／１９２ｋｂｐｓ”および“ＭＰ３／１２８ｋｂｐｓ”の中から一つの項目が選択できるように表示される（図５（Ｅ））。
【００４５】
ここで、“９６ｋ／２４ｂｉｔ”は音声信号を１秒間に９万６０００分割し、音の大きさを２の２４乗、つまり１６７８万階調で表現することを示している。“４４ｋ／２４ｂｉｔ”は、音声信号を１秒間に４万４０００分割し、音の大きさを１６７８万階調で表現することを示している。“ＭＰ３／１９２ｋｂｐｓ”は、音声信号をＭＰ３形式で１９２ｋｂｐｓの転送効率で圧縮していることを示している。“ＭＰ３／１２８ｋｂｐｓ”は、音声信号をＭＰ３形式で１２８ｋｂｐｓの転送効率で圧縮していることを示している。
【００４６】
また、ＬＣＤ部１６に図５（Ｄ）に示す表示状態で“マイク感度”が選択されると、３つのマイク感度設定項目である“高感度”、“中感度”および“低感度”の中から一つの項目が選択できるように表示される（図５（Ｆ））。
【００４７】
ここで、マイク感度とは、マイクロフォン２８から集音されたアナログ音声信号をどのような大きさのレベルで出力するかを示しており、“高感度”であればレベルが大きく、“中感度”ではレベルが中であり“低感度”であればレベルが小さいことを示している。
【００４８】
同様に、ＬＣＤ部１６に図５（ｄＤに示す表示状態で“フィルター”が選択されると、３つのフィルター設定項目である“ＯＦＦ”、“３００ｋＨｚ／ＯＮ”および“５００ｋＨｚ／ＯＮ”の中から一つの項目が選択できるように表示される（図５（Ｇ））。
【００４９】
ここで“３００ｋＨｚ／ＯＮ”は、音声信号の３００ｋＨｚ以下の部分をカットすることを示しており、“５００ｋＨｚ／ＯＮ”は、音声信号の５００ｋＨｚ以下の部分をカットすることを示している。
【００５０】
同様に、ＬＣＤ部１６に図５（Ｄ）に示す表示状態で“録音リミッター”が選択されると、２つの録音リミッター設定項目である“ＯＦＦ”または“ＯＮ”を選択できるように表示される（図５（Ｈ））。
【００５１】
次に、再生モードにおける動作について説明する。再生モード時において、使用者はモードダイヤル２４を操作することにより、オートモード、電源オフ、マニュアルモード、ミュージックモード、ピアノモードおよびボーカルモードの何れかを選択することにより、各種設定が為される。具体的には、オートモードが選択されると、音声ファイルが再生されるべきフォルダとして、ＡＵＴＯフォルダが割り当てられる。同様にマニュアルモードが選択されると、ＭＡＮＵＡＬフォルダが割り当てられ、ミュージックモードが選択されると、ＭＵＳＩＣフォルダが割り当てられ、ピアノモードが選択されると、ＰＩＡＮＯフォルダが割り当てられ、ボーカルモードが選択されると、ＶＯＣＡＬフォルダが割り当てられる。なお、ＭＡＮＵＡＬフォルダおよびＭＵＳＩＣフォルダ内には、更に複数のフォルダ、例えば使用者がカーソルキー２２を操作することによって選択可能とするフォルダが存在する。
【００５２】
ここで、選択されたモードに応じて音声ファイルが再生されるべきフォルダが割り当てられると共に、音声ファイルの再生方式、つまり再生処理を行う際の機能も設定される。。
【００５３】
なお、上述したように各モードを示すモードダイヤル２４にプリントされている文字列は、夫々使用者にとって理解しやすいものが採用されている。
【００５４】
オートモードを示す“ＡＵＴＯ”は、使用者が再生時に細やかな設定や使用法などを考慮する必要がないことを意味しており、マニュアルモードを示す“ＭＡＮＵＡＬ”は、使用者が再生時に細やかな設定や使用法を設定できることを意味している。ミュージックモードを示す“ＭＵＳＩＣ”は音楽ファイルを再生する際に適したものであることを示しており、ピアノモードを示す“ＰＩＡＮＯ”は、ピアノからの発生する音を主として録音された音楽ファイルを再生する際に適したものであることを示している。ボーカルモードは“ＶＯＣＡＬ”は、人間の音声を主として録音された音声ファイルを再生する際に適したものであることを示している。
【００５５】
図６（Ａ）は、割り当てられるフォルダと再生機能設定項目の関係を示したテーブルである。該テーブルはフラッシュメモリ４８に格納され、ＣＰＵ４２は該テーブルを参照し、夫々設定する。
【００５６】
再生機能設定項目としては、音声ファイルの“リピート”の設定、音声信号の特定の周波数帯域を強調／減少するための“イコライザ”の設定、背景ノイズを低減する“ノイズキャンセル”の設定および再生速度をコントロールするための“スピードコントロール”の設定が設けられている。
【００５７】
具体的には、モードダイヤル２４が操作されることによってオートモードが選択されると、ＡＵＴＯフォルダからある音声ファイルを再生可能となる。そして該音声ファイルを再生する際、ＣＰＵ４２はテーブルを参照してリピート機能、ノイズキャンセル機能およびスピードコントロール機能を無効に設定し、イコライザ機能において音声ファイルに基づく音声信号の周波数特性を、低域、中域および高域で同レベルになるように調整する。なお、テーブルの再生機能設定項目は変更可能であり、図６（Ａ）に示すテーブルは、使用者が始めて使う場合や、リセットが為されたときに設定されているものである。図６（Ｂ）は、テーブルの再生機能設定項目が変更された後のもの示している。なお、ＡＵＴＯフォルダ内の音声ファイルを再生する場合の再生機能設定項目は変更可能である。しかし、電源がオフされると再生機能設定項目はリセットされる。他のモードは、電源がオフされても再生機能設定項目は保持される。
【００５８】
図７は、再生機能設定項目が変更される際の遷移を示す図である。
【００５９】
モードダイヤル２４が操作されることによってオートモードが選択されると（図７（Ａ））、ＬＣＤ部１６にＡＵＴＯフォルダに格納されているファイルの総数が表示される（図７（Ｂ））。図７（Ｂ）に示されるファイルの総数が表示された状態で、再生ボタン３２が操作されると、ＣＰＵ２４はフラッシュメモリ４８に格納されているテーブルを参照して、各部を制御して音声再生処理を実行し始めると共に、ＬＣＤ部１６に再生中であることおよびスピーカ３６に出力される音声のレベルを表示する（図７（Ｃ））。
【００６０】
図７（Ｂ）に示すようにファイルの総数が表示された状態で、カーソルキー２２に対してメニュー呼び出し機能に相当する操作がなされると、各種再生設定画面に移行し、４つの再生機能設定項目である“リピート”、“イコライザ”、“ノイズキャンセル”および“スピードコントロール”の中から一つの項目が選択できるように表示される（図７（Ｄ））。
【００６１】
図７（Ｄ）に示すようにＬＣＤ部１６に４つの設定項目が表示された状態で、カーソルキー２２に対していずれかの項目を選択するようにシフト機能および設定機能に相当する操作がなされると、各項目の設定画面に移行する。“リピート”が選択されると、４つのリピート設定項目である“ＯＦＦ”、“１曲”、“ＡＬＬ”および“ランダム”の中から一つの項目が選択できるように表示される（図７（Ｅ））。
【００６２】
ここで、“１曲”は、指定された音声ファイルを繰り返し再生を行うことを示し、“ＡＬＬ”は、指定された音声ファイルが属するフォルダ内の全ての音声ファイルをファイル番号順に繰り返し再生を行うことを示し、“ランダム”は、指定された音声ファイルが属するフォルダ内の全ての音声ファイルをファイル番号に関係なくランダムに繰り返し再生を行うことを示している。
【００６３】
同様に、ＬＣＤ部１６に図７（Ｄ）に示す表示状態で”イコライザ“が選択されると、４つのイコライザ設定項目である”中／高域増強”、“中／高域低減”、“フラット”および“ＰＯＰ”の中から一つの項目が選択できるように表示される（図７（Ｆ））。
【００６４】
ここで“中／高域増強”は、音声信号の中域および高域のレベルをあげることを示している。するとボーカルなどの人の声が際立って聞こえるようになる。“中／高域低減”は、音声信号の中域および高域のレベルをやや下げることを示している。するとクラシックなどの音声ファイルを再生する際には、中域メインとなるので聞きやすく、雰囲気が出やすくなる。“フラット”は低、中、高域ともに同じレベルである。“ＰＯＰ”は、低域をあげて、中域を下げて高域をあげる。すると、メリハリのついた音質となる。
【００６５】
同様に、ＬＣＤ部１６に図７（Ｄ）の示す表示状態で、“ノイズキャンセル”が選択されると、３つのノイズキャンセル設定項目である“ＯＦＦ”、“ＯＮ・弱”および “ＯＮ・強い”の中から一つの項目が選択できるように表示される（図７（Ｇ））。
【００６６】
“ＯＦＦ”はノイズキャンセルをしないことを示しており、“ＯＮ・弱”は雑音成分の削除するための逆位相の比較的弱い音声信号を生成することを示しており、“ＯＮ・強”は該逆位相の比較的強い音声信号を生成することを示している。
【００６７】
同様に、ＬＣＤ部１６に図７（Ｄ）の示す表示状態で、“スピードコントロール”が選択されると、３つのスピードコントロール設定項目である“ＯＦＦ”、“早聞き”および“遅聞き”の中から一つの項目が選択できるように表示される（図７（Ｈ））。
【００６８】
次に図８〜図１１を参照して、上述した録音／再生モードにおける処理を説明する。これらの処理は、フラッシュメモリ４８に格納された夫々のプログラムをＣＰＵ４２が実行することにより、実現される。なお、ＣＰＵ４２は、特に例えばマルチタスクＣＰＵであり、複数の処理を並列的に実行することが出来る。
【００６９】
図８は、ＣＰＵ４２が実行する録音／再生処理の一部を示す録音モード制御タスクのフローチャートである。
【００７０】
ＩＣレコーダ１０に電源が投入される、もしくは後述する再生モード制御タスクにより録音モード制御タスクが起動されると、ＣＰＵ４２はステップＳ１０１において、現在の動作モードを録音モードに設定し、録音時モード検出タスクを起動する。次にステップＳ１０３へ進み、モードダイヤル２４によって現在選択されているモードを検出する。次にステップＳ１０５へ進み、現在選択されたモードに対応するフォルダを決定し、フラッシュメモリ４８に格納されているテーブルを参照して、フォルダに対応する各種録音機能設定を行う。
【００７１】
次にステップＳ１０７に進み、録音ボタン３４において録音操作が有ったか否かを判別する。ステップＳ１０７においてＮＯと判別されるとステップＳ１０８へ進み、ステップＳ１０８では再生ボタン３２において再生操作が有ったか否かを判別する。ここで、ＹＥＳと判別されるとステップＳ１１７へ進み、再生モード制御タスクを起動し、本タスクを終了する。ステップＳ１０８においてＮＯと判別されるとステップＳ１０９へ進み、ステップＳ１０９では録音モード検出タスクから変更通知が有ったか否かを判別する。ステップＳ１０９においてＹＥＳと判別されるとステップＳ１０３へ戻り、ＮＯと判別されるとステップＳ７へ戻る。
【００７２】
ステップＳ７においてＹＥＳと判別されるとステップＳ１１１へ進み、図２に示す各ブロックを制御して録音処理を開始する。次にステップＳ１１３へ進み、ステップＳ１１３では、停止ボタン２０において停止操作が有ったか否かを判別する。ステップＳ１１３ではＹＥＳと判別されるまで繰り返し判別を行い、ＹＥＳと判別されるとステップＳ１１５へ進み、各ブロックを制御して録音処理を終了させる。そして、ステップＳ１０７へ戻る。
【００７３】
図９は、ＣＰＵ４２が実行する録音モード制御タスクのステップＳ１０１で起動される録音モード検出タスクのフローチャートである。
【００７４】
録音モード検出タスクが起動されると、まず、ステップＳ２０１において、モードダイヤル２４への操作によりモードが変更されたか否かを判別する。ステップＳ２０１においては、ＹＥＳと判別されるまで該判別を繰り返し行い、ＹＥＳと判別されるとステップＳ２０３へ進み、判別の結果電源オフモードが選択されたか否かを判別する。ステップＳ２０３においてＹＥＳと判別されると、ステップＳ２０５へ進み、ＣＰＵ４２は電源制御部６０に対して電源をオフするように命令を出し、本タスクを終了させる。
【００７５】
ステップＳ２０３においてＮＯと判別されると、ステップＳ２０７へ進み、録音モード制御タスクへモード変更の通知を行う。そしてステップＳ２０１へ戻る。
【００７６】
図１０は、録音モード制御タスクのステップＳ１０８において起動される再生モード制御タスクのフローチャートを示している。まずステップＳ３０１にて現在の動作モードを再生モードに設定し、更に再生モード検出タスクを起動させ、ステップＳ３０３へ進み、モードダイヤル２４によって現在選択されているモードを検出する。次にステップＳ３０５へ進み、現在選択されたモードに対応するフォルダを決定し、フラッシュメモリ４８に格納されているテーブルを参照して、フォルダに対応する各種再生設定を行う。
【００７７】
次にステップＳ３０７へ進み、図２に示す各ブロックを制御して再生処理を開始しステップＳ３０９へ進む。ステップＳ３０９では、停止ボタン２０によって停止操作が為されたか否かを判別する。ステップＳ３０９でＹＥＳと判別されるまで該判別を繰り返し、ＹＥＳと判別されるとステップＳ３１１へ進み、各ブロックを制御して再生処理を終了させる。
【００７８】
次にステップＳ３１３へ進み、再生モード検出タスクから変更通知が有ったか否かを判別する。ステップＳ３１３においてＹＥＳと判別されるとステップＳ３０３へ戻り、ＮＯと判別されるとステップＳ３１５へ進む。ステップＳ３１５では、再生ボタン３２による再生操作が有ったか否かを判別し、ＹＥＳと判別されるとステップＳ３０７へ戻る。
【００７９】
ステップＳ３１５においてＮＯと判別されると、ステップＳ３１７へ進み、録音操作が有ったか否かを判別し、ＮＯと判別されるとステップＳ３１３へ戻り、ＹＥＳと判別されるとステップＳ３１９へ進む。ステップＳ３１９では、録音モード制御タスクを起動して本タスクを終了させる。
【００８０】
図１１は、再生モード制御タスクのステップＳ３０１において起動される再生モード検出タスクのフローチャートを示している。
【００８１】
再生モード検出タスクが起動されると、まず、ステップＳ４０１において、モードダイヤル２４への操作によりモードが変更されたか否かを判別する。ステップＳ４０１においては、ＹＥＳと判別されるまで該判別を繰り返し行い、ＹＥＳと判別されるとステップＳ４０３へ進み、判別の結果電源オフモードが選択されたか否かを判別する。ステップＳ４０３においてＹＥＳと判別されると、ステップＳ４０５へ進み、ＣＰＵ４２は電源制御部６０に対して電源をオフするように命令を出し、本タスクを終了させる。
【００８２】
ステップＳ４０３においてＮＯと判別されると、ステップＳ４０７へ進み、録音モード制御タスクへモード変更の通知を行う。そしてステップＳ４０１へ戻る。
【００８３】
以上説明したように、本実施例におけるＩＣレコーダ１０は、記録モード時と再生モード時のモードダイヤル２４の回動位置が同じであれば、記録モード時の記録処理における音声ファイルが割り当てられるフォルダと、再生先の音声ファイルが割り当てられているフォルダが同じフォルダとなるため、使用者にとって記録モード時および再生モード時のフォルダ選択の操作がより簡単となる。
【００８４】
また、本実施例のおけるＩＣレコーダ１０においては、使用者はモードダイヤル２４を操作してフォルダを選択するだけで、記録処理および再生処理の夫々の処理に関連付けられている機能が適用されるため、細かな設定を行うことなく音声ファイルの記録または再生を行うことが出来る。
【００８５】
また、使用者はモードダイヤル２４を操作するだけで、電源オフ動作も可能となり、別途電源オフスイッチを設ける必要がない。
【００８６】
また、記録処理および再生処理の夫々の処理に関連付けられている機能について使用者によって変更可能であるため、使用者の好みに応じた記録および再生を行うことが出来る。
【００８７】
このように、録音モード時も再生モード時も操作するモードダイヤル２４は同じであり、使用者は録音時は録音先のフォルダを指定する感覚で、再生時は再生先のフォルダを指定する感覚でそれぞれのフォルダに適した処理機能を設定するため、直感的に使いやすい。
【００８８】
なお、本実施例においてはＩＣレコーダ２４について説明をしたが、撮像装置やハードディスクレコーダーにおいても本発明は適用可能である。
【００８９】
また、本実施例においては記録および再生の対象は音声ファイルとして説明したが、対象ファイルの種類は映像ファイルやテキストファイルなどでも良い。
【００９０】
また、本実施例において説明した録音機能設定項目および再生機能設定項目は、上記実施例に限られない。
【００９１】
また、本実施例においては、フォルダ選択のためのスイッチとしてモードダイヤル２４を採用したが、これに限らず回動式のスイッチであれば何でも良い。例えばＬＣＤ部１６にタッチパネルを採用し、本実施例で説明した各種操作がタッチパネル上で行える場合でも、ＬＣＤ部１６に回動式のスイッチを連想させる、例えばモードダイヤル画像を表示して、画面上でモードダイヤル画像を操作することとしても良い。
【００９２】
また、本実施例において、録音処理中および再生処理中においてモードダイヤル２４が操作されてしまった場合、停止ボタン２０が操作されることによる停止操作が行われるまでは割り当て先のフォルダ、モードは変更されない。
【符号の説明】
【００９３】
１０      ・・・    ＩＣレコーダ
２４      ・・・    モードダイヤル
３２      ・・・    再生ボタン
３４      ・・・    録音ボタン
２８      ・・・    マイクロフォン
３０      ・・・    ライン端子
４０      ・・・    コーデック
４２      ・・・    ＣＰＵ
４４      ・・・    バス
４６      ・・・    ＳＤＲＡＭ
４８      ・・・    フラッシュメモリ
５０      ・・・    ＤＳＰ
５２      ・・・    外部メモリコントローラ
５４      ・・・    外部メモリカード
６０      ・・・    電源制御部
【図１】
2012027384.tif 000003
【図２】
2012027384.tif 000004
【図３】
2012027384.tif 000005
【図４】
2012027384.tif 000006
【図５】
2012027384.tif 000007
【図６】
2012027384.tif 000008
【図７】
2012027384.tif 000009
【図８】
2012027384.tif 000010
【図９】
2012027384.tif 000011
【図１０】
2012027384.tif 000012
【図１１】
2012027384.tif 000013